(57)【要約】【課題】装置本体内に2本のラインを設け、美観を損なうことなく、平行ケーブルの引き回しができる防犯スイッチを提供する。【解決手段】防犯スイッチ１は、ドア４０２の不動側に設置されるスイッチ本体１１と、ドア４０２の可動側に設置され、ドア４０２の開閉に連動するマグネット１２と、を備える。マグネット１２は、スイッチ本体１１の外部で、リードスイッチＳＷ１に近接した位置に設けられている。ドア４０２が開き、それに連動してマグネット１２が離れた時に、リードスイッチＳＷ１は、オフする。スイッチ本体１１は、内部に、往路１４と、往路１４と閉ループを構成するための復路１３と、を収納する。また、スイッチ本体１１は、スイッチ本体１１の両端部に設けられ、往路１４と復路１３とのそれぞれの両端が接続され、平行ケーブル１６がスイッチ本体１１外から接続可能な接続端子１８Ａ、１８Ｂ、１９Ａ、１９Ｂと、を備える。【選択図】図２
2007109582.tif 000002
【特許請求の範囲】
【請求項１】
ドア又は窓などに連動してオンオフするスイッチを備える防犯スイッチにおいて、
スイッチ本体内に収納され、前記スイッチが接続された第一のラインと、
前記スイッチ本体内に収納され、前記第一のラインと閉ループを構成するための第二のラインと、
前記スイッチ本体の両端部に設けられ、前記第一のラインと前記第二のラインとのそれぞれの両端が接続され、平行ケーブルが前記スイッチ本体外から接続可能な接続端子と、を備え、
前記スイッチ本体の外部で前記スイッチに近接した位置に設けられたマグネットを備え、
前記スイッチは、リードスイッチであり、前記マグネットの接離によりオンオフする防犯スイッチ。
【請求項２】
ドア又は窓などに連動してオンオフするスイッチを備える防犯スイッチにおいて、
スイッチ本体内に収納され、前記スイッチが接続された第一のラインと、
前記スイッチ本体内に収納され、前記第一のラインと閉ループを構成するための第二のラインと、
前記スイッチ本体の両端部に設けられ、前記第一のラインと前記第二のラインとのそれぞれの両端が接続され、平行ケーブルが前記スイッチ本体外から接続可能な接続端子と、を備える防犯スイッチ。
【請求項３】
前記第一のラインと前記第二のラインとの各々同じ側にある前記接続端子同士を短絡した請求項２に記載の防犯スイッチ。
【請求項４】
前記スイッチ本体の外部で前記スイッチに近接した位置に設けられたマグネットを備え、
前記スイッチは、リードスイッチであり、前記マグネットの接離によりオンオフする請求項２又は３に記載の防犯スイッチ。
【発明の詳細な説明】
【技術分野】
【０００１】
本発明は、住宅や事務所などのドア又は窓などに設置され、そのドア又は窓などの開閉に連動してオンオフするスイッチを有する防犯スイッチに関するものである。
【背景技術】
【０００２】
従来より、住宅や事務所などのドア又は窓などに設置され、そのドア又は窓などの開閉に連動してオンオフするスイッチを有する防犯用の防犯スイッチがある。
防犯スイッチは、直列又は並列に複数接続され、さらに報知を行うためのセキュリティ装置に接続され、閉回路が構成される。この接続には、一般的に平行ケーブルが利用される。セキュリティ装置には、防犯スイッチのオンオフ、即ち、閉回路のオンオフを検出する検出手段と、検出手段からの検出信号により警報音を発生する報知手段等が設けられる。
【０００３】
このような構成において、防犯スイッチが設置された窓や戸等が開けられることにより、設置された防犯スイッチのいずれかひとつがオープン（又はクローズ）になると、セキュリティ装置は、窓、戸が開いた状態であることを検出し、警報音を発生させる。
【０００４】
図６は、従来の防犯スイッチに平行ケーブルを接続した時の様子を示す概念図である。
従来の防犯スイッチ２０１、及び２０２は、事務所又は家等のドア又は窓等に設置され、図６に示すように、平行ケーブル２１６で直列に接続されている。
従来の防犯スイッチ２０１は、ドア又は窓等の可動側に設置され、ドア又は窓等の開閉に連動するマグネット２１２と、ドア又は窓等の不動側に設置されるスイッチ本体２１１と、を備える。マグネット２１２は、スイッチ本体２１１の外部で、リードスイッチＳＷ２０１に近接した位置に設けられている。
【０００５】
スイッチ本体２１１内には、リードスイッチＳＷ２０１が備えられ、さらに、リードスイッチＳＷ２０１が接続されたライン２１４も収納されている。さらに、従来の防犯スイッチ２０１は、スイッチ本体２１１の長手方向中央部且つ短手方向一方の側に設けられ、スイッチ本体２１１外から平行ケーブル２１６が接続可能な接続端子２１８Ａ、及び２１８Ｂを備える。
従来の防犯スイッチ２０２も、従来の防犯スイッチ２０１と構成については同じである。
【０００６】
図７は、従来の防犯スイッチに平行ケーブルを接続した時の様子を示す概念図である。
従来の防犯スイッチ３０１、３０２が、従来の防犯スイッチ２０１と構成において相違する点は、接続端子３１８がスイッチ本体３１１の両端に設けられている点である。
【０００７】
一方、特許文献１に記載されたようなスイッチ装置が提案されている。
このスイッチ装置は、装置本体上面に設けられ、導電材の押圧部と、装置本体内部に収納されている第一のラインと、装置本体内部に収納されており、第一のラインの２／５程度の長さの第二のラインと、装置本体内部に収納されており、第二のラインと同じ長さの第三のラインと、を備える。接続端子は、装置本体両端部に計４本設けられており、第一のラインの両端部、第二のラインの一方の端部、及び第三のラインの他方の端部である。装置本体上面から見ると、第一のラインと、押圧部、第二のライン及び第三のラインを結ぶ線とは、装置本体内部でクロスしている。
ユーザが軽く押圧部を押圧すると、第二のラインの他方の端部及び第三のラインの一方の端部が押圧部を介して電気的に接続する。一方、強く押圧すると、第一のラインと、第二のラインと、第三のラインと、押圧部と、が電気的に接続する。
なお、このスイッチ装置は、カメラやビデオカメラの入力操作部に使用される装置である。
【特許文献１】特開平１１−２３２９６２号公報
【発明の開示】
【発明が解決しようとする課題】
【０００８】
しかしながら、従来の防犯スイッチ２０１、及び２０２を接続するためには、従来の防犯スイッチ２０１を接続するために平行ケーブル２１６を裂く必要があり、平行ケーブル２１６Ａに図６に示すようなたるみ２１３が出来てしまう。また、従来の防犯スイッチ３０１、及び３０２を接続するためには、従来の防犯スイッチ３０１を接続するために平行ケーブル３１６を裂く必要があり、平行ケーブル３１６Ａに図７に示すようなたるみ３１３が出来てしまう。
【０００９】
このように、従来の防犯スイッチは、平行ケーブルに接続する場合、たるみが出来て美観が悪くなるという問題点があった。
【００１０】
また、特許文献１におけるスイッチ装置は、カメラやビデオカメラの入力操作部に使用される装置であってユーザにより押圧操作されることを想定して考えられたものであり、防犯用のものではない。また、カメラやビデオカメラの入力操作部に使用される装置であるので、もちろん平行ケーブルを接続することを想定したものもない。
【００１１】
本発明はこのような従来の課題を解決しようとするものであり、装置本体内に2本のラインを設け、美観を損なうことなく、平行ケーブルの引き回しができる防犯スイッチを提供することを目的とする。
【課題を解決するための手段】
【００１２】
本発明の防犯スイッチは、前記課題を解決するために以下の構成を備えている。
【００１３】
（１）ドア又は窓などに連動してオンオフするスイッチを備える防犯スイッチにおいて、
スイッチ本体内に収納され、前記スイッチが接続された第一のラインと、
前記スイッチ本体内に収納され、前記第一のラインと閉ループを構成するための第二のラインと、
前記スイッチ本体の両端部に設けられ、前記第一のラインと前記第二のラインとのそれぞれの両端が接続され、平行ケーブルが前記スイッチ本体外から接続可能な接続端子と、を備える。
【００１４】
この構成における防犯スイッチでは、平行ケーブルを裂くことなく接続できるよう、装置本体内部に第一のラインと第二のラインとの２本のラインを備えている。このため、従来の防犯スイッチを接続する際に見られるたるみができない。
以上より、上記防犯スイッチは、美観を損なうことなく、平行ケーブルの引き回しができるという効果を奏する。
【００１５】
（２）前記第一のラインと前記第二のラインとの各々同じ側にある前記接続端子同士を短絡した。
【００１６】
この構成において、防犯スイッチは、平行ケーブルの引き回しを行う際、防犯スイッチ群の末端に配置するための専用の防犯スイッチを想定している。
平行ケーブルの引き回しを行う際、閉ループを構成するために、末端の防犯スイッチには、第一のラインと第二のラインとの各々同じ側にある接続端子同士を短絡する。この接続端子同士を短絡できるのであれば、どのような導電材を用いても構わない。もちろん半田付けしても良く、平行ケーブルを利用しても良い。
【００１７】
（３）前記スイッチ本体の外部で前記スイッチに近接した位置に設けられたマグネットを備え、
前記スイッチは、リードスイッチであり、前記マグネットの接離によりオンオフする。
【発明の効果】
【００１８】
この発明によれば、美観を損なうことなく、平行ケーブルの引き回しができるという効果を奏する。
【発明を実施するための最良の形態】
【００１９】
以下、本発明の実施形態である防犯スイッチについて説明する。
【００２０】
図１は、本発明の実施形態である防犯スイッチを事務所に設置した場合の様子を示す概念図である。
防犯スイッチ１、２は、図１に示すように、事務所４０１のドア４０２又は窓４０３に設置されている。防犯スイッチ１、２は、直列又は並列に複数接続され、さらに報知を行うためのセキュリティ装置１０１に接続され、閉回路が構成される。
【００２１】
防犯スイッチ１は、ドア４０２の可動側に設置され、ドア４０２の開閉に連動するマグネット１２と、ドア４０２の不動側に設置されるスイッチ本体１１と、を備える。
【００２２】
防犯スイッチ２は、窓４０３に設置されている。防犯スイッチ２は、窓４０３の可動側に設置され、窓４０３の開閉に連動するマグネット２２と、窓４０３の不動側に設置されるスイッチ本体２１と、を備える。
【００２３】
このような構成において、防犯スイッチ１、２が設置されたドア４０２又は窓４０３が開けられることにより、設置された防犯スイッチ１、２のいずれかひとつがオープン（又はクローズ）になると、セキュリティ装置１０１は、ドア４０２又は窓４０３が開いた状態であることを検出し、警報音を発生させる。
なお、この実施形態では、防犯スイッチ１、２を事務所４０１に設置させているが、住宅でも構わない。
【００２４】
図２は、本発明の実施形態である防犯スイッチ１の構成を示した概念図である。
防犯スイッチ１は、ドア４０２の不動側に設置されるスイッチ本体１１と、ドア４０２の可動側に設置され、ドア４０２の開閉に連動するマグネット１２と、を備える。マグネット１２は、スイッチ本体１１の外部で、リードスイッチＳＷ１に近接した位置に設けられている。
【００２５】
リードスイッチＳＷ１がオンということは、リードスイッチＳＷ１が閉じていることを意味し、防犯スイッチ１がオンということを意味する。マグネット１２が接した時に、リードスイッチＳＷ１は、オンする。ドア４０２が開き、それに連動してマグネット１２が離れた時に、リードスイッチＳＷ１は、オフする。
【００２６】
スイッチ本体１１は、内部に、往路１４と、往路１４と閉ループを構成するための復路１３と、を収納する（備える）。また、スイッチ本体１１は、スイッチ本体１１の両端部に設けられ、往路１４と復路１３とのそれぞれの両端が接続され、平行ケーブル１６がスイッチ本体１１外から接続可能な接続端子１８Ａ、１８Ｂ、１９Ａ、１９Ｂと、を備える。
往路１４は、リードスイッチＳＷ１と、ショートを検出するため等の抵抗体Ｒｓ１と、が接続されている。
【００２７】
要するに、防犯スイッチ１は、平行ケーブル１６を裂くことなく接続できるよう、スイッチ本体１１内部に往路１４と、復路１３との２本のラインと、接続端子１８Ａ、１８Ｂ、１９Ａ、１９Ｂと、を備えている。
【００２８】
図３は、本発明の実施形態である防犯スイッチ２の構成を示した概念図である。
防犯スイッチ２は、平行ケーブル１６の引き回しを行う際、防犯スイッチ群の末端に配置するため専用の防犯スイッチである。
図３の防犯スイッチ２が、図２の防犯スイッチ１と構成において相違する点は、ループ２０を設けた点である。
平行ケーブル１６の引き回しを行う際、閉ループを構成するために、末端の防犯スイッチ２には、往路２４の接続端子２８Ｂと復路２３の接続端子２８Ａとを結ぶループ２０を設ける。ループ２０は、接続端子２８Ｂと接続端子２８Ａとを短絡できるのであれば、どのような材質でも構わない。半田付けしても良く、平行ケーブル１６を利用しても良い。
【００２９】
ここで、往路１４、２４が、本発明の「第一のライン」に相当する。復路１３、２３が、本発明の「第二のライン」に相当する。
【００３０】
そして、防犯スイッチ１の接続端子１９Ｂ１８Ｂに平行ケーブル１６Ｂを接続し、防犯スイッチ１の接続端子１９Ａ１８Ａに平行ケーブル１６Ａを接続し、防犯スイッチ２の接続端子２９Ｂに平行ケーブル１６Ｂを接続し、防犯スイッチ２の接続端子２９Ａに平行ケーブル１６Ａを接続すると、図４に示すような様子となる。
【００３１】
図４は、本発明の実施形態である防犯スイッチに平行ケーブルを接続した時の様子を示す図である。
防犯スイッチ１、２では、図４に示すように、平行ケーブル１６を裂くことなく接続できるため、従来の防犯スイッチを接続する際に見られるたるみができない。従って、美観を損なうことなく、平行ケーブル１６の引き回しができる。
以上より、防犯スイッチ１、２は、美観を損なうことなく、平行ケーブル１６の引き回しができるという効果を奏する。
【００３２】
図５は、本発明の実施形態である防犯スイッチを平行ケーブルによりセキュリティ装置に接続した場合の様子と、セキュリティ装置のブロック図である。
セキュリティ装置１０１は、内蔵する直流電源（不図示）から防犯スイッチ１、２全てに一定値（例えば１０ｍＡ）の電流を流し、電圧を検出する電圧測定部１０４と、電圧測定部１０４が検出した電圧をＡ／Ｄ変換するＡ／Ｄ変換部１０３と、Ａ／Ｄ変換部１０３がＡ／Ｄ変換した電圧を取り込み、防犯スイッチ１、２全ての合成抵抗値に変換し、合成抵抗値を検出する制御部１０２と、装置本体１０１を動作させるための制御プログラムを格納するＥＥＰＲＯＭ１０７と、警報音を発生させるスピーカ１０６と、スピーカ１０６に音声信号を出力する音声出力部１０５と、を備える。
【００３３】
表示部１０９は、例えば液晶モニタである。
制御部１０２は、例えばマイクロコンピュータである。
制御部１０２は、検出された合成抵抗値から防犯スイッチ１、２の環境を監視する。環境とは、防犯スイッチ１、２のオンオフ状態、又は防犯スイッチ１、２がショートしているか否かである。
【００３４】
制御部１０２は、電流が流れなければ、防犯スイッチ１、２のいずれかがオフしていると判断する。また、制御部１０２は、合成抵抗値がＲｓ１＋Ｒｓ２であれば、防犯スイッチ１、２のオンしていると判断する。また、制御部１０２は、合成抵抗値がＲｓ２であれば、防犯スイッチ１がショートしていると判断する。また、制御部１０２は、合成抵抗値がＲｓ１であれば、防犯スイッチ２がショートしていると判断する。また、制御部１０２は、合成抵抗値が０であれば、防犯スイッチ１、２がショートしていると判断する。
【００３５】
防犯スイッチ１、２のいずれかがオフしていると判断すると、制御部１０２は、音声出力部１０５に音声信号を生成させ、警報音をスピーカ１０６から発生させる。この音声信号のデータは、ＥＥＰＲＯＭ１０７に記憶させておくと良い。音声出力部１０５は、制御部１０２の指示の下、ＥＥＰＲＯＭ１０７からこのデータを取り出し、D／A変換などを行い、音声信号を生成する。
以上のようにして、防犯スイッチ１、２と平行ケーブル１６により接続されたセキュリティ装置１０１は、警報音を発生させる。
【図面の簡単な説明】
【００３６】
【図１】本発明の実施形態である防犯スイッチを事務所に設置した場合の様子を示す概念図
【図２】本発明の実施形態である防犯スイッチ１の構成を示した概念図
【図３】本発明の実施形態である防犯スイッチ２の構成を示した概念図
【図４】本発明の実施形態である防犯スイッチに平行ケーブルを接続した時の様子を示す図
【図５】本発明の実施形態である防犯スイッチを平行ケーブルによりセキュリティ装置に接続した場合の様子と、セキュリティ装置のブロック図
【図６】従来の防犯スイッチに平行ケーブルを接続した時の様子を示す概念図
【図７】従来の防犯スイッチに平行ケーブルを接続した時の様子を示す概念図
【符号の説明】
【００３７】
１−防犯スイッチ
ＳＷ１−スイッチ
Ｒｓ１−抵抗体
２−防犯スイッチ
ＳＷ２−スイッチ
Ｒｓ２−抵抗体
１１−スイッチ本体
１２−マグネット
１３−復路
１４−往路
１６−平行ケーブル
１８Ａ−接続端子
１８Ｂ−接続端子
１９Ａ−接続端子
１９Ｂ−接続端子
２０−ループ
２１−スイッチ本体
２２−マグネット
２３−復路
２４−往路
２８Ａ−接続端子
２８Ｂ−接続端子
２９Ａ−接続端子
２９Ｂ−接続端子
１０１−セキュリティ装置
１０２−制御部
１０３−Ａ／Ｄ変換部
１０４−電圧測定部
１０５−音声出力部
１０６−スピーカ
１０７−ＥＥＰＲＯＭ
２０１−従来の防犯スイッチ
２０２−従来の防犯スイッチ
２１１−スイッチ本体
２１２−マグネット
２１３−たるみ
２１４−ライン
２１６−平行ケーブル
２１８Ａ−接続端子
２１８Ｂ−接続端子
３０１−従来の防犯スイッチ
３０２−従来の防犯スイッチ
３１１−スイッチ本体
３１２−マグネット
３１３−たるみ
３１４−ライン
３１６−平行ケーブル
３１８Ａ−接続端子
３１８Ｂ−接続端子
４０１−事務所
４０２−ドア
４０３−窓
【図１】
2007109582.tif 000003
【図２】
2007109582.tif 000004
【図３】
2007109582.tif 000005
【図４】
2007109582.tif 000006
【図５】
2007109582.tif 000007
【図６】
2007109582.tif 000008
【図７】
2007109582.tif 000009